(57)【特許請求の範囲】
【請求項１】
少なくとも第１ガーゼ組織と第２ガーゼ組織と、
前記第１ガーゼ組織と前記第２ガーゼ組織とを結ぶ接結部と、
を備え、
前記第１ガーゼ組織は無撚糸を含み、
前記第２ガーゼ組織は中空撚糸を含む
ことを特徴とする多重ガーゼ織物。
【請求項２】
前記中空撚糸の中空率は、中空率２０〜５０％である
ことを特徴とする請求項１記載の多重ガーゼ織物。
【請求項３】
前記第１ガーゼ組織と前記第２ガーゼ組織とが前記接結部にて表裏交替する
ことを特徴とする請求項１または２記載の多重ガーゼ織物。
【請求項４】
前記表裏交替が不規則である
ことを特徴とする請求項３記載の多重ガーゼ織物。
【請求項５】
２重ガーゼ織物である
ことを特徴とする請求項１〜４いずれか記載の多重ガーゼ織物。
【請求項６】
前記無撚糸および中空撚糸は綿糸である
ことを特徴とする請求項１〜４いずれか記載の多重ガーゼ織物。
【発明の詳細な説明】
【技術分野】
【０００１】
本発明は多重ガーゼ織物に関する。
【背景技術】
【０００２】
ガーゼ織物は、粗く織られた平織物である。一般に、密実（中空でない）な綿撚糸を用いる。綿ガーゼ織物には、１重織物、２重織物、３重織物などがある。１重ガーゼ織物は、例えば医療用途や布巾に用いられている。２重ガーゼ織物は、例えば被服やハンカチ等に用いられている。綿糸（４０番手の単糸）が用いられている。３重ガーゼ織物は、例えばタオルや寝装品に用いられている。綿糸が用いられている。１重の組織において、インチ当たりのタテヨコの糸本数の合計が５０本〜１２０本の密度であることが一般的である。５０本未満の密度だとガーゼを構成しない。１２０本超の高密度のものは、一般にガーゼと呼ばない。【０００３】
図１４は、一般的な２重ガーゼ織物の詳細断面図である。２重ガーゼ織物は、表面ガーゼ組織Aと裏面ガーゼ組織Bとを備える。ガーゼ組織は経糸（縦糸）と緯糸（横糸）とから構成される。経糸供給に合わせて、緯糸を打ち込むことにより、ガーゼ組織が形成される。表面ガーゼ組織A形成および裏面ガーゼ組織B形成とともに、適宜、表面ガーゼ組織Aと裏面ガーゼ組織Bとを接結する。図示のように経糸により接結部を形成しても良いし、緯糸により接結部を形成しても良い。【０００４】
ガーゼは、粗い（糸と糸との間の隙間が大きい）織物である。ガーゼは粗い平織物の為、抜群の通気性と、抜群の軽量性を有する。【０００５】
一方で、ガーゼ織物は保温性に乏しい。多重ガーゼとしても厚みが薄く、保温性を期待できない。充分な保温性を確保しようと重ねる枚数を増やすと、軽量性が著しく損なわれる。【０００６】
ガーゼは、粗い織物であるため、弾力性や柔らかさが乏しい。【０００７】
ガーゼは、粗い織物である結果、例えば衣服として用いると肌が透けてしまう。なお、糸の太さを太くしたり、高密度にすると、防透性は向上するが、ガーゼの特徴である通気性や軽量性が著しく損なわれる。【０００８】
以上の理由から、従来のガーゼ織物の諸性能では、衣類や寝具類の生地に適用するには不十分であり改善の余地があると考えられた。【０００９】
ところで、パイルタオルでは、無撚糸パイルが用いられることもある。【００１０】
一般的に用いられる撚糸は、綿花の繊維を撚って形成される。これに対し、無撚糸は、撚糸を撚り戻し、撚りのない状態になるように形成される。【００１１】
無撚糸は、ふんわりとふくらみ、繊維間に空気をたくさん含んでいる。したがって、無撚糸パイルは、保温性や柔らかな肌触りを実現する。【００１２】
ここで、無撚糸をガーゼ織物に適用することを検討する。無撚糸によるガーゼ組織は、通気性や軽量性を維持しながら、撚糸によるガーゼ組織に比べてボリューム感を有する。その結果、保温性、柔らかな肌触り、防透性が向上する。【００１３】
一般に、無撚糸は撚糸に比べ強度が劣る。したがって、無撚糸のみで構成されたガーゼ組織は、強度が劣る。多重ガーゼとしても著しい強度向上にならない。【００１４】
そこで、撚糸により構成されたガーゼ組織と無撚糸により構成されたガーゼ組織とを接結する多重ガーゼ織物に適用することを検討する。【００１５】
撚糸により構成されたガーゼ組織が強度を維持するともに、無撚糸により構成されたガーゼ組織は、保温性、柔らかな肌触り、防透性を有する。すなわち、相互の長所を併せ持つ。【００１６】
本願出願人は、関連発明として、例えば特許文献１に係る発明を提案している。
【先行技術文献】
【特許文献】
【００１７】
【特許文献１】特許５４３５６０７号公報
【発明の概要】
【発明が解決しようとする課題】
【００１８】
撚糸で構成されたガーゼ組織と無撚糸で構成されたガーゼ組織とを接結して形成される多重ガーゼ織物について更に説明する。【００１９】
ガーゼ組織は、経糸に緯糸を供給することにより形成される。ガーゼ組織が形成された後、洗浄や染色等の水分を含ませる工程を経て、乾燥させると、ガーゼ組織は収縮する。そのとき、撚糸で構成されたガーゼ組織と無撚糸で構成されたガーゼ組織とでは収縮率が異なる。すなわち、撚糸は収縮しやすいのに対し、無撚糸は収縮しにくい。【００２０】
その結果、無撚糸で構成されたガーゼ組織は、撚糸で構成されたガーゼ組織の収縮に追従できずに、膨らむ。膨らみが大きくなると皺になりやすい。ただし、この皺には、メリットとデメリットがある。【００２１】
まず、メリットについて説明する。皺により、通気性や軽量性を維持しながら更なるボリューム感が得られる。その結果、保温性、柔らかな肌触り、防透性が更に向上する。また、需要者によっては、皺が形成する独特の風合いを好む者もいる。【００２２】
次にデメリットについて説明する。皺が大きくなる（または多くなる）と、縫製加工が難しくなる。また、プリントにより絵柄を設けることが難しくなる。一方で、異なる糸の色により絵柄を形成する場合、絵柄が歪むおそれがある。また、衣服の種類によっては、皺が好ましくない場合もある。【００２３】
したがって、用途によっては皺の発生を抑制する方が好ましい場合もある。【００２４】
接結間隔を制御することで、ある程度、皺の発生を抑制できる。すなわち、接結間隔を狭めて、撚糸で構成されたガーゼ組織の収縮を拘束することにより、皺の発生を抑制できる。さらに、無撚糸で構成されたガーゼ組織の弛みを接結によって細かく分断し、皺の発生を抑制できる。このように、接結間隔を狭めることは、皺抑制に有効である。【００２５】
しかしながら、接結間隔を狭めると、接結箇所が増え、徒に工数が増える。さらに、デザインの制約にもなる。また、特に２重ガーゼ織物の場合、撚糸で構成されたガーゼ組織の収縮を拘束する結果、意図しないストレスが発生し、生地自体が、無撚糸で構成されたガーゼ組織が膨らむ方向に湾曲する。その結果、縫製やプリントが難しくなる。【００２６】
本発明は上記課題を解決するものであり、用途に応じて皺発生の程度を制御できる多重ガーゼ織物を提供することを目的とする。
【課題を解決するための手段】
【００２７】
上記課題を解決する本願発明の多重ガーゼ織物は、少なくとも第１ガーゼ組織と第２ガーゼ組織と、前記第１ガーゼ組織と前記第２ガーゼ組織とを結ぶ接結部と、を備える。前記第１ガーゼ組織は無撚糸を含み、前記第２ガーゼ組織は中空糸を含む。【００２８】
上記発明において、好ましくは、前記中空糸の中空率は、中空率２０〜５０％である。【００２９】
中空糸の中空率を検討することにより、第２ガーゼ組織の収縮率を制御し、皺発生の程度を制御する。【００３０】
上記発明において、好ましくは、前記第１ガーゼ組織と前記第２ガーゼ組織とが前記接結部にて表裏交替する。【００３１】
規則的な表裏交替により、表裏とも連続して規則的に繰り返される格子状を形成する。この格子サイズの制限を軽減できる。デザインの自由度が高くなる。【００３２】
上記発明において、好ましくは、前記表裏交替が不規則である。【００３３】
中空糸の中空率を検討することにより、皺発生の程度を制御する。すなわち、格子状にする必要がなく、表裏交替が不規則でもよい。これにより、自由な絵柄が形成される。デザインの自由度が高くなる。【００３４】
上記発明において、さらに好ましくは、２重ガーゼ織物である。【００３５】
上記発明において、さらに好ましくは、前記無撚糸および中空糸は綿糸である。
【発明の効果】
【００３６】
本発明の多重ガーゼ織物は、用途に応じて皺発生の程度を制御できる。
【図面の簡単な説明】
【００３７】
【図１】第１実施形態にかかる２重ガーゼの織物の概略断面図である。
【図２】比較例１にかかる概略断面図である。
【図３】比較例２にかかる概略断面図である。
【図４】比較例３にかかる概略断面図である。
【図５】第２実施形態に係る２重ガーゼ織物の概略断面図である。
【図６】第２実施形態に係る２重ガーゼ織物の概略平面図である。
【図７】比較例３と比較した第２実施形態の効果を、数値計算により検証する概念図である。
【図８】第３実施形態に係る２重ガーゼ織物の概略断面図である。
【図９】第３実施形態に係る２重ガーゼ織物の概略平面図である。
【図１０】第４実施形態に係る３重ガーゼ織物の一例である。
【図１１】第４実施形態に係る３重ガーゼ織物の別の例である。
【図１２】第４実施形態に係る３重ガーゼ織物の別の例である。
【図１３】第４実施形態に係る３重ガーゼ織物の別の例である。
【図１４】一般的な２重ガーゼ織物の詳細断面図である。
【発明を実施するための形態】
【００３８】
＜第１実施形態＞
〜構成〜
基本構造は、一般的な２重ガーゼと同様である（図１４類似）。すなわち、２重ガーゼ織物は、表面ガーゼ組織Aと裏面ガーゼ組織Bとが積層されて形成される。ガーゼ組織は経糸（縦糸）と緯糸（横糸）とから構成される。経糸供給に合わせて、緯糸を打ち込むことにより、ガーゼ組織が形成される。表面ガーゼ組織A形成および裏面ガーゼ組織B形成とともに、適宜、表面ガーゼ組織Aと裏面ガーゼ組織Bとを接結する。経糸により接結部を形成しても良いし、緯糸により接結部を形成しても良い。
【００３９】
図１は、本実施形態にかかる概略断面図である。経糸および緯糸の詳細については省略している（図１４類似）。本実施形態は、表面ガーゼ組織Aが無撚糸により構成され、裏面ガーゼ組織Bが中空糸により構成されることを特徴とする。すなわち、本実施形態は、撚糸（密実糸）のみより構成されるガーゼ組織を含まない。
【００４０】
無撚糸には、１６−４０番手（例えば２０番手単糸）を用い、中空糸には、１６−４０番手（例えば２０番手単糸）を用いる。ただし、２０番手単糸は４０番手双糸に相当する。また、無撚糸は表示番手よりも膨らむため、中空糸の番手数に比べて、やや細い（番手数が大きい）または同等の番手数とすることが好ましい。
【００４１】
無撚糸は、撚糸を撚り戻し、撚りのない状態になるように形成される。ただし、撚り戻し調整幅を−１０〜１０％（たとえば、１００の撚りに対し、撚り戻しが９０〜１１０）とするものは、実質的に無撚糸として扱う。ところで、撚糸を撚り戻すには、通常、撚糸に水溶性糸を撚りつける方法や、紡績の最終工程で粗糸と水溶性糸を交撚する方法などが用いられる。また、表面にごく細い撚糸を撚りつけることによって撚り戻しされ、実質的に撚りがない状態に加工された交撚糸も無撚糸として扱う
【００４２】
中空糸は、溶解性のある繊維を用いて糸の内部に単独または複数の空隙を形成する。糸全体に対する空隙の体積の比率を中空率とし、この中空率を２０〜５０％とする。中空率２０％未満では効果（詳細下記）が得られにくい。中空率５０％超では変形が大きく中空が潰れてしまう。また、強度不足となる等、実用的ではない。より好ましくは、中空率２０〜４０％とする。
【００４３】
〜原理〜
本願発明の基本原理について確認する。撚糸で構成されたガーゼ組織と無撚糸で構成されたガーゼ組織とでは収縮率が異なる。すなわち、撚糸は収縮しやすいのに対し、無撚糸は収縮しにくい。その結果、無撚糸で構成されたガーゼ組織は膨らみ、皺が寄りやすい。
【００４４】
これに対し、本願発明では、中空率を検討することにより、中空糸の収縮率を制御する。その結果、用途に応じて皺発生の程度を制御できる。
【００４５】
本願発明者は、２０番手綿糸（単糸換算）において中空率と収縮率の関係について検討した。なお、生地の状態と糸の状態とでは、収縮率が異なり、また、生地の状態においても織り方によって収縮率が異なり、収縮率の厳密な定義がない。また、糸の状態においても、原料の綿花の種類や撚糸（および中空糸）の撚り回数によって収縮率が異なる。
【００４６】
本発明者は、生地や糸の収縮率を数多く実測した。ここでいう収縮率とは、（（収縮前の長さ）−（収縮後の長さ））／（収縮前の長さ）×100によって算出されたものである。一般的な撚糸（密実糸）において、収縮率は８％〜１２％の範囲でバラついた。したがって、説明の便宜上、撚糸の収縮率を１０％（たとえば、１００ｍｍの長さの糸が９０ｍｍに収縮する）と仮定した。
【００４７】
中空糸においても、収縮率は５％〜９％の範囲でバラついた。ただし、中空率が大きくなるほど、収縮率は小さくなる傾向がみられた。中空糸においては、生地にする工程中に中心部を溶かして空洞を作るため、中空糸における繊維間の結束が弱まり、収縮しにくくなる。説明の便宜上、中空率１０％の収縮率を９％と、中空率２０％の収縮率を８％と、中空率３０％の収縮率を７％と、中空率４０％の収縮率を６％と、中空率５０％の収縮率を５％と、仮定した。
【００４８】
無撚糸においては、収縮率は−５％〜０％の範囲でバラついた。通常、無撚糸は一般撚糸もしくは粗糸に水溶性糸を巻きつけたものであり、水溶性糸が撚りつけられた後は、元の状態と比べて撚られた分だけ糸が短くなっている。したがって、収縮せず伸びるように見える。すなわち、正確な計測が難しい。また、水溶性糸に変えてごく細い撚糸を用いた場合は、収縮はほとんど発生しない。水溶性糸を撚りつける前の長さと比較するものとして、無撚糸の収縮率を０％と仮定した。
【００４９】
なお、上記数値は、説明上の便宜の点から、仮定したものであり、これに限定されない。
【００５０】
したがって、皺発生を抑制したい場合は、中空率の大きい中空糸を用いる。これにより、無撚糸との収縮率の差が少なくなる。一方、皺発生を許容できる場合、もしくは皺発生が好ましい場合は、中空率の小さい中空糸を用いる。
【００５１】
ただし、中空率５０％超では実用性に欠ける。中空率２０％未満では密実糸との相違が顕著でなく、中空糸を用いることによる効果が明確でない。
【００５２】
〜比較例〜
本実施形態を比較例１〜３と比較することにより、本実施形態の効果を説明するために、比較例１〜３について説明する。
【００５３】
図２は、比較例１にかかる概略断面図である。比較例１は、無撚糸で構成されたガーゼ組織Aと撚糸（密実糸）で構成されたガーゼ組織Bとを接結して形成される２重ガーゼ織物である。収縮率の相違により、無撚糸で構成されたガーゼ組織Aにおいて多くの（大きな）皺が発生する。比較例１においては、皺発生の程度を制御できない。
【００５４】
図３は、比較例２にかかる概略断面図である。比較例２は、比較例１の変形例である。すなわち、接結間隔を制御することで、ある程度、皺の発生を抑制できる。しかしながら、接結間隔を狭めると、接結箇所が増え、徒に工数が増え、デザインの制約にもなる。撚糸で構成されたガーゼ組織Bの収縮を拘束する結果、意図しないストレスが発生し、生地自体が無撚糸で構成されたガーゼ組織Aが膨らむ方向に湾曲し、生地形状が不安定になる。
【００５５】
図４は、比較例３にかかる概略断面図である。比較例３は、比較例１における無撚糸で構成されたガーゼ組織Aと撚糸（密実糸）で構成されたガーゼ組織Bとを接結部において規則的に表裏交代させたものである。図４は、経糸方向の表裏交替を示すが、図示奥行き方向に接結部が連続して線状を形成する。同様に、緯糸方向にも表裏交替している。これにより、２重ガーゼ織物は、表裏とも連続して規則的に繰り返される格子状を形成する（図６類似）。さらに、ガーゼ組織Aとガーゼ組織Bとの色を変えることにより、チェッカーフラッグ模様が形成される。
【００５６】
収縮率の相違により、撚糸で構成されたガーゼ組織Bに対し、無撚糸で構成されたガーゼ組織Aが凸状になる。逆に、無撚糸で構成されたガーゼ組織Aに対し、撚糸で構成されたガーゼ組織Bが凹状になる。
【００５７】
このとき、格子状のサイズを検討することにより、より具体的には、比較例２と同様に接結間隔を狭めることにより、皺の発生を抑制できる。すなわち、無撚糸で構成されたガーゼ組織Aがふんわりと膨らむ。
【００５８】
格子が撚糸で構成されたガーゼ組織Bの収縮を拘束し、比較例２と同様にストレスが発生するが、表裏に同量均質に発生するため、ストレス同士が打ち消し合い、比較例２と異なり生地の形状は安定している。
【００５９】
ただし、連続して繰り返される格子状によるデザインに制限される。すなわちデザインの自由度が低い。
【００６０】
〜効果〜
本実施形態を比較例１〜３と比較することにより、本実施形態特有の効果を説明する。
【００６１】
本実施形態は、比較例１と比べて、皺発生の程度を制御できる。
【００６２】
本実施形態は中空率を検討することにより皺発生の程度を制御するものであり、比較例２と比べて、生地の安定性を有する。
【００６３】
本実施形態は中空率を検討することにより皺発生の程度を制御するものであり、表裏交替することなく、比較例３と比べて、デザインの自由度が高い。
【００６４】
すなわち、本実施形態は、生地の安定性やデザインの自由度を損なうことなく、皺発生の程度を制御できる。
【００６５】
中空率の小さい中空糸を用いることにより、皺を積極的に発生させる。これにより、皺が形成する独特の風合いを実現する。また、保温性、柔らかな肌触り、防透性が更に向上する。
【００６６】
中空率の大きい中空糸を用いることにより、無撚糸との収縮率の差が少なくなり、皺発生を抑制できる。無撚糸で構成されたガーゼ組織Aは皺にならずに、ふんわりと膨らむ。これにより、縫製加工や絵柄プリントが容易になる。その結果、衣服等への適用など、生地の適用範囲が広がる。
【００６７】
次に、副次的な効果について説明する。本実施形態は、比較例１の変形例であり、同様な効果を有する。すなわち、無撚糸により、保温性、柔らかな肌触り、防透性を有するとともに、中空糸により強度を維持する。
【００６８】
さらに、中空糸を用いることにより、保温性、柔らかな肌触り、軽量性が向上する。
【００６９】
また、当然に、ガーゼ織物としての軽量性および通気性を維持する。
【００７０】
〜変形例〜
本実施形態においては、表面ガーゼ組織Aでは経糸および緯糸に無撚糸が用いられ、裏面ガーゼ組織Bでは経糸および緯糸に中空糸が用いられることを想定している。ただし、無撚糸の機能を十分発揮できる程度（例えば、組織構成の半分以上が無撚糸）に無撚糸が含まれている場合には、ガーゼ組織は実質的に無撚糸を含むものとして扱う。また、中空糸の機能を十分発揮できる程度（例えば、組織構成の半分以上が中空糸）に中空糸が含まれている場合には、ガーゼ組織は実質的に中空糸を含むものとして扱う。
【００７１】
また、本願技術思想と無関係に撚糸（密実糸）を用いる場合（例えば縫製糸）の撚糸は、除外して考える。
【００７２】
さらに、主に経糸に無撚糸が用いられる、または、主に緯糸に無撚糸が用いられている場合でも、無撚糸の機能を十分発揮できる程度（例えば、組織構成の半分以上が無撚糸）に無撚糸が含まれている場合には、ガーゼ組織は実質的に無撚糸を含むものとして扱う。主に経糸に中空糸が用いられる、または、主に緯糸に中空糸が用いられている場合でも、中空糸の機能を十分発揮できる程度（例えば、組織構成の半分以上が中空糸）に中空糸が含まれている場合には、ガーゼ組織は実質的に中空糸を含むものとして扱う。
【００７３】
＜第２実施形態＞
図５は、第２実施形態にかかる概略断面図である。経糸および緯糸の詳細については省略している。第２実施形態は、本願発明を比較例３に適用するものである。図６は、第２実施形態にかかる概略平面図である。
【００７４】
すなわち、ガーゼ組織Aが無撚糸により構成され、ガーゼ組織Bが中空糸により構成され、ガーゼ組織Aとガーゼ組織Bとを接結部において規則的に表裏交代させたものである。経糸方向および緯糸方向に表裏交替しており、これにより、２重ガーゼ織物は、表裏とも連続して規則的に繰り返される格子状を形成する。さらに、ガーゼ組織Aとガーゼ組織Bとの色を変えることにより、チェッカーフラッグ模様が形成される。
【００７５】
比較例３では、格子状のサイズを検討すること（のみ）により、皺発生の程度を制御する。具体的には、格子状のサイズを小さくすることにより、皺の発生を抑制する。
【００７６】
これに対し、第２実施形態では、格子状のサイズおよび中空率を検討することにより皺発生の程度を制御する。
【００７７】
したがって、第２実施形態では、比較例３に比べて格子状のサイズを大きくしても、比較例２と同等の制御ができる。すなわち、比較例３におけるデザイン制限が緩和される。
【００７８】
図７は、比較例３と比較した第２実施形態の効果を、数値計算により検証する概念図である。
【００７９】
比較例３において、撚糸の収縮率を１０％とする。格子サイズ２０×２０ｍｍとすると、無撚糸単位長（格子一辺長さ相当）は２２．２ｍｍとなり、撚糸単位長は２０．０ｍｍとなる。その結果、幾何学計算上、４．８ｍｍ膨らむ。
【００８０】
第２実施形態において、中空糸（例えば中空率３０％）の収縮率を７％とする。比較例３と同様に４．８ｍｍ膨らむようにするには、無撚糸単位長は２６．２ｍｍとなり、撚糸単位長は２４．３ｍｍとなり、格子サイズ２４．３×２４．３ｍｍとなる。
【００８１】
このように、第２実施形態では、比較例３に比べて格子状のサイズを１２２％（面積比１４８％）大きくしても、数値計算上では比較例３と同等の膨らみ具合に抑制できる。
【００８２】
なお、第２実施形態は、第１実施形態と同様の特徴的構成を有し、同様の効果が期待できる。
【００８３】
＜第３実施形態＞
図８は、第３実施形態にかかる概略断面図である。経糸および緯糸の詳細については省略している。第３実施形態は、第２実施形態の変形例である。図９は、第３実施形態にかかる概略平面図である。
【００８４】
すなわち、ガーゼ組織Aが無撚糸により構成され、ガーゼ組織Bが中空糸により構成され、ガーゼ組織Aとガーゼ組織Bとを接結部において表裏交代させたものである。ただし、第２実施形態では、規則的な表裏交代に対し、第３実施形態では、任意位置の接結部においての表裏交代である。
【００８５】
第２実施形態では、格子状のサイズおよび中空率を検討することにより皺発生の程度を制御するのに対し、第３実施形態では、中空率（のみ）を検討することにより皺発生の程度を制御する。
【００８６】
任意位置（不規則）での表裏交代およびガーゼ組織Aとガーゼ組織Bとの色を変えることにより、チェッカーフラッグ模様に限定されず、自由な絵柄が形成される。
【００８７】
なお、第３実施形態は、第１実施形態と同様の特徴的構成を有し、同様の効果が期待できる。
【００８８】
＜第４実施形態＞
第１〜３実施形態においては２重ガーゼ織物について言及したが、本願発明を３重ガーゼ織物に適用してもよい。
【００８９】
図１０〜１３は、第４実施形態にかかる各例の概略断面図である。
【００９０】
図１０に示す３重ガーゼ織物は、第１実施形態の変形例である。ガーゼ組織A1およびガーゼ組織A2は無撚糸により構成され、ガーゼ組織Bは中空糸により構成される。ガーゼ組織Bの両面にガーゼ組織A1およびガーゼ組織A2が積層配置されて形成される。ガーゼ組織A1とガーゼ組織A2とはガーゼ組織Bを通過して直接的に接結されていてもよいし、ガーゼ組織A1とガーゼ組織A2とがガーゼ組織Bを介して間接的に接結されていてもよい。
【００９１】
図１１に示す３重ガーゼ織物は、図１０の変形例である。ガーゼ組織A1およびガーゼ組織A2は無撚糸により構成され、ガーゼ組織Bは中空糸により構成される。ガーゼ組織Bの両面にガーゼ組織A1およびガーゼ組織A2が積層配置されて形成される。ガーゼ組織A1とガーゼ組織A2とはガーゼ組織Bを介して間接的に接結されている。ガーゼ組織A1とガーゼ組織Bとの接結部は、隣り合うガーゼ組織A2とガーゼ組織Bとの接結部の中間に位置する。ガーゼ組織A2とガーゼ組織Bとの接結部は、隣り合うガーゼ組織A1とガーゼ組織Bとの接結部の中間に位置する。
【００９２】
図１２に示す３重ガーゼ織物は、第２実施形態の変形例である。ガーゼ組織A1およびガーゼ組織A2は無撚糸により構成され、ガーゼ組織Bは中空糸により構成される。ガーゼ組織A1およびガーゼ組織A2が積層配置され、積層されたガーゼ組織Aとガーゼ組織Bとが接結部において規則的に表裏交代されて形成される。
【００９３】
図１３に示す３重ガーゼ織物は、図１２の変形例である。ガーゼ組織A1およびガーゼ組織A2は無撚糸により構成され、ガーゼ組織Bは中空糸により構成される。ガーゼ組織Bを中間層とし、ガーゼ組織A1とガーゼ組織A2とが接結部において規則的に表裏交代されて形成される。
【００９４】
＜生地の適用例＞
以上のように、本願発明の多重ガーゼ織物は、ガーゼ織物の特徴および、無撚糸や中空糸の特徴を維持しつつ、中空率を検討することにより皺発生の程度を制御する。とくに、皺発生を抑制することにより、縫製加工や絵柄プリントや異なる糸の色による絵柄形成が容易になる。これにより、生地におけるデザインの自由度が高くなる。
【００９５】
その結果、ガーゼタオルやハンカチはもちろん、被服（ガウン、パジャマ、シャツ、パンツ、マフラー、乳幼児用品等）や寝装具類（シーツ、ブランケット、枕カバーなど）の生地として好適である。
【要約】
用途に応じて皺発生の程度を制御できる多重ガーゼ織物を提供する。２重ガーゼ織物は、表面ガーゼ組織Aと裏面ガーゼ組織Bとが積層されて形成される。表面ガーゼ組織A形成および裏面ガーゼ組織B形成とともに、適宜、表面ガーゼ組織Aと裏面ガーゼ組織Bとを接結する。表面ガーゼ組織Aが無撚糸により構成され、裏面ガーゼ組織Bが中空糸により構成される。すなわち、撚糸（密実糸）のみより構成されるガーゼ組織を含まない。中空糸の中空率を検討することにより皺発生の程度を制御する。【図１】
0005971743.tif 000002
【図２】
0005971743.tif 000003
【図３】
0005971743.tif 000004
【図４】
0005971743.tif 000005
【図５】
0005971743.tif 000006
【図６】
0005971743.tif 000007
【図７】
0005971743.tif 000008
【図８】
0005971743.tif 000009
【図９】
0005971743.tif 000010
【図１０】
0005971743.tif 000011
【図１１】
0005971743.tif 000012
【図１２】
0005971743.tif 000013
【図１３】
0005971743.tif 000014
【図１４】
0005971743.tif 000015